(57)【要約】【課題】必要なものを必要なときに自由に取り出すことが容易であると共に、不使用時における占有スペースの削減を可能にしたバッグを提供すること。【解決手段】底面部１２と、底面部１２の外周縁に沿って立設された側壁面部１４，１６と、側壁面部１４，１６で囲われる開口部を覆う蓋部３０とを有するメインバッグ１０と、メインバッグ１０の内部空間への出し入れ自在で、メインバッグ１０に平面的に隙間なく収容可能な複数のサブバッグ２０，２１とを有し、底面部１２はフレキシブルな布帛材料によって形成されていて、側壁面部１４，１６は、板状体に形成された芯体Ａと、芯体Ａの表裏面に取り付けられたカバー体Ｂにより形成されていて、対向する一対の側壁面部１６には側壁面部１６の高さ方向に延伸する屈曲部１６Ａが形成されており、屈曲部１６Ａ位置にてメインバッグ１０が折り畳み可能である。【選択図】図２
0003184461.tif 000002
【実用新案登録請求の範囲】
【請求項１】
底面部と、該底面部の外周縁に沿って立設された側壁面部と、該側壁面部の上端縁に設けられ、前記側壁面部で囲われる開口部を覆う蓋部とを有するメインバッグと、
該メインバッグの内部空間への出し入れ自在かつ、前記メインバッグ内に平面的に隙間なく収容可能な複数のサブバッグと、を有し、
前記底面部はフレキシブルな布帛材料によって形成されていて、
前記側壁面部は、板状体に形成された芯体と、該芯体の表裏面に取り付けられたカバー体により形成されていて、対向する一対の側壁面部には前記側壁面部の高さ方向に延伸する屈曲部が形成されており、当該屈曲部位置にて前記メインバッグが折り畳み可能であることを特徴とするバッグ。
【請求項２】
前記サブバッグは、平面形状が異なる複数種類の有底筒状体により構成されていることを特徴とする請求項１記載のバッグ。
【請求項３】
前記有底筒状体における底面はフレキシブルな布帛材料によって形成されていて、
前記有底筒状体において対向する一対の外周壁は、板状体に形成された芯体と、該芯体の表裏面に取り付けられたカバー体により形成されていると共に、前記有底筒状体の高さ方向に延伸する屈曲部が形成されており、当該屈曲部位置にて前記外周壁が折り畳み可能であることを特徴とする請求項２記載のバッグ。
【請求項４】
前記蓋部の開口部側の端縁部には、前記蓋部の開口状態を縮小可能にする紐状体が挿通されていることを特徴とする請求項１〜３のうちのいずれか一項に記載のバッグ。
【請求項５】
前記側壁面部には、取手部が取り付けられていることを特徴とする請求項１〜４のうちのいずれか一項に記載のバッグ。
【請求項６】
長尺体により形成された扁平環状体の中途部分が、前記側壁面部のうち対向する一対の側壁面部と前記底面部とを掛け渡す配置で取り付けられていて、
前記取手部は、前記対向する一対の側壁面部の上端部からはみ出している前記扁平環状体の一部により形成されていることを特徴とする請求項５記載のバッグ。
【請求項７】
前記サブバッグのうちの少なくとも一つが防水性を有する材料により形成されていると共に開閉可能な蓋体が設けられていることを特徴とする請求項１〜６のうちのいずれか一項に記載のバッグ。
【考案の詳細な説明】
【技術分野】
【０００１】
本考案は、バッグに関し、より詳細には、サブバッグと、サブバッグが収容可能なメインバッグとからなるバッグに関する。
【背景技術】
【０００２】
収容対象物を対象物ごとに分割して収納し、まとめて持ち運びすることができるようにしたバッグとしては、例えば特許文献１に開示されているようなものが知られている。特許文献１に開示されているバッグは、バッグ本体部と収納ボックスとを有し、収納ボックスには現場作業用の道具を一式収容することができ、収納ボックスごとにバッグ本体部から出し入れすることができる構成を有している。
【先行技術文献】
【特許文献】
【０００３】
【特許文献１】特開２０１２−５５６００号公報
【考案の概要】
【考案が解決しようとする課題】
【０００４】
特許文献１に記載されているバッグによれば、必要なものを必要なときに本体部から取り出すことができるため、効率的な現場作業を行うことができるが、バッグの不使用時における占有スペース削減することができないといった課題がある。
また、現場作業用の道具を収容するものであるから頑丈に形成されていて重量もあるため、日用品を収容するための用途としては使い勝手の良いものではない。
【０００５】
そこで本考案は、必要なものを必要なときに自由に取り出すことが容易であると共に、不使用時における占有スペースの削減を可能にし、軽量で使い勝手の良好なバッグの提供を目的としている。
【課題を解決するための手段】
【０００６】
上記課題を解決するために本考案者は鋭意研究を行った結果、以下の構成に想到した。
すなわち、底面部と、該底面部の外周縁に沿って立設された側壁面部と、該側壁面部の上端縁に設けられ、前記側壁面部で囲われる開口部を覆う蓋部とを有するメインバッグと、該メインバッグの内部空間への出し入れ自在かつ、前記メインバッグ内に平面的に隙間なく収容可能な複数のサブバッグと、を有し、前記底面部はフレキシブルな布帛材料によって形成されていて、前記側壁面部は、板状体に形成された芯体と、該芯体の表裏面に取り付けられたカバー体により形成されていて、対向する一対の側壁面部には前記側壁面部の高さ方向に延伸する屈曲部が形成されており、当該屈曲部位置にて前記メインバッグが折り畳み可能であることを特徴とするバッグである。これにより、不使用時においてはメインバッグからサブバッグを取り出して、メインバッグを屈曲部にて折り畳むことにより、バッグの占有スペースを大幅に削減することが可能になる。また、カバー体や布帛材料で形成されているため軽量になり、日用品の収容目的としての使い勝手が良好である。
【０００７】
また、前記サブバッグは、平面形状が異なる複数種類の有底筒状体により構成されていることが好ましい。これにより、収納物に応じたサブバッグを使用することができ、サブバッグへの収容物をメインバッグ内から容易に見つけ出すことができる。
【０００８】
また、前記有底筒状体における底面はフレキシブルな布帛材料によって形成されていて、前記有底筒状体において対向する一対の外周壁は、板状体に形成された芯体と、該芯体の表裏面に取り付けられたカバー体により形成されていると共に、前記有底筒状体の高さ方向に延伸する屈曲部が形成されており、当該屈曲部位置にて前記外周壁が折り畳み可能であることが好ましい。これにより、メインバッグから取り出したサブバッグを自立させることができる。また、サブバッグを収容する際には屈曲部においてサブバッグを扁平に折り畳むことができるため、不使用時におけるサブバッグの占有スペースを小さくすることもできる。
【０００９】
また、前記蓋部の開口部側の端縁部には、前記蓋部の開口状態を縮小可能にする紐状体が挿通されていることが好ましい。これにより、メインバッグをいわゆる巾着袋状にすることができる。これによりバッグ内の収容物を隠すことができるので犯罪を防止することができる。また、風雨時においてもバッグ内に収容した収容物を保護することができる。
【００１０】
また、前記側壁面部には、取手部が取り付けられていることが好ましい。これにより手提げ型や肩下げ型のバッグとして使用することができ、バッグの持ち運びが容易である。
また、長尺体により形成された扁平環状体の中途部分が、前記側壁面部のうち対向する一対の側壁面部と前記底面部とを掛け渡す配置で取り付けられていて、前記取手部は、前記対向する一対の側壁面部の上端部からはみ出している前記扁平環状体の一部により形成されていることが好ましい。これにより、メインバッグの底面部が布帛のみで形成されていても、バッグの底抜けを防止する補強部にすることができると共に取手部も形成することができる。
【００１１】
また、前記サブバッグのうちの少なくとも一つが防水性を有する材料により形成されていると共に開閉可能な蓋部が設けられていることが好ましい。これにより、汚れた物品や水濡れした物品をサブバッグへ収容する際に、他の収容物への汚れ移りや水濡れの移りを防止することができる。
【考案の効果】
【００１２】
本考案にかかる構成を採用することにより、使用時においては、収容品を整理整頓した状態でメインバッグへ収容することが可能である。また不使用時においては、メインバッグを折曲部で折りたたむことでバッグを平坦化することができ、不使用時における占有スペースを大幅に削減可能なバッグを提供することができる。
また、サブバッグをメインバッグから取り外し、サブバッグに収容物を入れた状態でタンスや抽斗等に収容すれば、メインバッグのみを折りたためばよいため、バッグ不使用時の状態をコンパクトにすることができ、かつ、タンスや抽斗等とサブバッグとの間での収容物の入れ替え作業が不要になる。このような使用形態は特にお出かけ用具を収容する際において好都合である。加えて、収容物をサブバッグに入れたままの状態でタンスや抽斗内に収容されるのでタンスや抽斗等の整理整頓も可能になる。
さらには、主材料が布帛やカバー体のような膜状材料により形成されているので、軽量で取り扱いが容易なバッグを提供することができる。
【図面の簡単な説明】
【００１３】
【図１】本実施形態に係るバッグの正面側斜視図である。
【図２】本実施形態に係るバッグの側面側斜視図である。
【図３】本実施形態に係るバッグの底面側斜視図である。
【図４】メインバッグの側壁面部の厚さ方向における基本構造を示す断面図である。
【図５】本実施形態に係るバッグにおいてメインバッグの蓋部を閉塞した状態を示す正面側斜視図である。
【図６】メインバッグからサブバッグの一部を取り出した状態を示す正面側斜視図である。
【考案を実施するための最良の形態】
【００１４】
以下、本考案にかかるバッグの実施形態について図面に基づいて具体的に説明する。図１〜図３は本実施形態にかかるバッグを各方向から臨んだ斜視図である。
本実施形態にかかるバッグ５０は、図１，図２に示すように、手提げ袋状に形成されたメインバッグ１０と、メインバッグ１０に出し入れ自在な第１のサブバッグ２０と、第２のサブバッグ２１とを有している。
【００１５】
本実施形態にかかるメインバッグ１０は、図１〜図３に示すように、底面部１２と底面部１２の外周縁に沿って立設された側壁面部１４，１６とにより有底筒状体に形成され、メインバッグ１０の開口部（底面部１２に立設された側壁面部１４，１６の上端縁部分）には、開口部を覆う蓋部３０と、取手部１８が設けられている。
メインバッグ１０は、平面視形状が長方形状をなし、帆布に代表されるフレキシブルな布帛材料からなる底面部１２と、底面部１２の外周縁に沿って立設された短辺側の側壁面部１４と長辺側の側壁面部１６とにより収容部が形成されている。収容部の内部空間（メインバッグ１０の収容空間）には仕切板は存在せず、複数の第１のサブバッグ２０と第２のサブバッグ２１が収容部の内部空間に収容され、複数の第１のサブバッグ２０と第２のサブバッグ２１の外周壁どうしによって収容部が区画されている。
【００１６】
図１および図２に示すバッグ５０の状態は、メインバッグ１０に対する複数の第１のサブバッグ２０と第２のサブバッグ２１の収納形態の一例であり、複数の第１のサブバッグ２０と第２のサブバッグ２１の配設数の比やメインバッグ１０に対する複数の第１のサブバッグ２０と第２のサブバッグ２１の収容レイアウトは使用者の好みに応じて適宜変更可能である。
本実施形態にかかるバッグ５０にはメインバッグ１０と複数の第１のサブバッグ２０と第２のサブバッグ２１とを固定するための手段が配設されておらず、メインバッグ１０の収容部が複数の第１のサブバッグ２０と第２のサブバッグ２１により平面的に隙間なく収容されることで、メインバッグ１０内における複数の第１のサブバッグ２０と第２のサブバッグ２１の位置ずれが防止されている。
【００１７】
このようにメインバッグ１０の収容部に複数の第１のサブバッグ２０と第２のサブバッグ２１を平面的に隙間なく収容するために、メインバッグ１０の底面部１２の内側表面（内底面）に第１のサブバッグ２０と第２のサブバッグ２１の収容位置を示すサブバッグ用マップ（図示せず）を配設しておけば好適である。このサブバッグ用マップは底面部１２の内側表面に直接記載してもよいし、内底板として形成したサブバッグ用マップを収容してもよい。また複数種類のサブバッグ用マップを準備しておくこともできる。
【００１８】
メインバッグ１０の側壁面部１４，１６は、いずれも図４に示すような断面構造成を有している。具体的には、合成樹脂製の板状体に形成された芯体Ａと、芯体Ａの表裏面（芯体Ａの厚さ方向における上下面）にカバー体Ｂが取り付けられた複数層構造に形成されている。芯体Ａとカバー体Ｂとは、接着剤を用いた接着または縫製により一体化することができる。カバー体Ｂの材料は特に限定されるものではないが、芯体Ａとの接着や縫製を行う際に適した軽量の膜状材料が適宜用いられる。
【００１９】
このように側壁面部１４，１６は芯体Ａを有しているため、側壁面部１４，１６の剛性を向上させることができる。このような構成を有する側壁面部１４，１６によれば、メインバッグ１０に収容物４０が収容されていない状態であっても、側壁面部１４，１６を底面部１２に対して自立させることができるので、メインバッグ１０へのサブバッグ２０の収容作業を容易に行うことができる点で好都合である。
【００２０】
また、側壁面部１４，１６のうち短手側の側壁面部１６の芯体Ａにおいては、２枚の芯体Ａ，Ａを側壁面部１６の幅方向に並べた状態で配設し、１枚のカバー体Ｂを２枚の芯体Ａ，Ａに掛け渡すようにして装着している。側壁面部１６の材料として２枚の芯体Ａ，Ａを用いることにより、図２，図３に示すように、側壁面部１６の幅方向における中心線位置には、２枚の芯体Ａ，Ａの隙間（境界）部分により屈曲部１６Ａが形成されることになる。このようにして形成された屈曲部１６Ａは、側壁面部１６を幅方向に二分するように側壁面部１６の高さ方向に延設されているので、側壁面部１６に芯体Ａが含まれていても、屈曲部１６Ａ位置においては側壁面部１６を折り畳むことが可能である。
【００２１】
取手部１８は、ベルト状の長尺体を逆Ｕ字状にし、長尺体を湾曲させた部分を一方の側壁面部１４の上端縁からはみ出させるようにして配設し、長尺体と側壁面部１４との重複部分を縫製や接着等によって一体化させることにより形成されている。取手部１８は、メインバッグ１０（バッグ５０）を手提げ型バッグや肩下げ型バッグとして使用することができればよく、紐状体により形成することも可能である。また、メインバッグ１０への取手部１８の配設は省略することもできる。
【００２２】
本実施形態の蓋部３０は薄手の布帛により形成されている。蓋部３０は、一方の端縁が側壁面部１４，１６の上端縁に取り付けられ他端部が自由端になっている。蓋部３０の自由端部分にはメインバッグ１０の開口部の全周にわたって袋状部が形成されていて、側壁面部１６の上端縁中間位置（メインバッグ１０の短手側中間位置）には、袋状部の内部空間と外部とを連通する連通部が形成されている。袋状部の内部空間には紐状体３２が挿通され、紐状体３２の一部が連通部から外部に引き出され、いわゆる巾着状に形成されている。
【００２３】
図５は、メインバッグの蓋部を閉塞した状態を示す正面側斜視図である。図５に示すように、蓋部３０の連通部からの紐状体３２の引き出し量を調整して、蓋部３０の開口部が開閉自在になっている。これにより、メインバッグ１０に複数の第１のサブバッグ２０と第２のサブバッグ２１を出し入れする際、および、バッグ５０の持ち運びをする際のそれぞれの状況に応じて蓋部３０の開閉状態を適宜切り替えすることができる点で使い勝手が良好である。
蓋部３０を閉塞しておけば、バッグ５０への収納物を他人に見られてしまう心配がなく、プライバシーの保護や防犯上において好都合である。また悪天候時においても風雨等から収容物４０を保護することもできる。
【００２４】
本実施形態における複数の第１のサブバッグ２０と第２のサブバッグ２１は、図６に示すように、平面形状が異なる有底筒状体に形成された複数の第１のサブバッグ２０と、巾着袋状に形成された第２のサブバッグ２１とにより構成されている。
第１のサブバッグ２０は、底面２０Ａと底面２０Ａの外周縁に沿って立設された外周壁２０Ｂとにより形成されている。底面２０Ａおよび外周壁２０Ｂはいずれも布帛により形成されているが、外周壁２０Ｂのうちの少なくとも対向する一対の外周壁２０Ｂを、メインバッグ１０の側壁面部１６と同様に芯体とカバー体とを用いて形成することもできる。また、メインバッグの側壁面部１６と同様に一対の外周壁２０Ｂに用いる芯体を２枚用いれば、第１のサブバッグ２０についても、外周壁２０Ｂに曲折部２０Ｃを設けることができる。曲折部２０Ｃの位置であれば、芯体を有する外周壁２０Ｂであっても折り畳みが可能になり、第１のサブバッグ２０の収納時における占有スペースをコンパクトにすることができる。
【００２５】
第１のサブバッグ２０，２０，・・・間において、外周壁２０Ｂに適用する布帛の色彩や柄を使い分けすることにより複数配設されている第１のサブバッグ２０，２０，・・・を識別可能にすることができる。これにより、メインバッグ１０から目的としている収容物４０が収容されたサブバッグ２０を直ちに取り出しすることができるほか、第１のサブバッグ２０に収容物４０を収容した状態で図示しないタンスや抽斗に第１のサブバッグ２０を移し替えする際においてきわめて好都合である。
【００２６】
巾着袋状に形成された第２のサブバッグ２１は、防水性の布帛により形成されていれば、汚れた物品や水濡れした物品を収容しても、他のサブバッグ２０の収容物４０に汚れや水濡れを移してしまうことがない。このような構成は特に乳児、幼児、介護を要する者を伴うお出かけをする際において特に好都合である。
【００２７】
このように収容物４０を収容したままの状態でタンスや抽斗等に収容物４０と共に第１および第２のサブバッグ２０，２１を収容することにより、タンスや抽斗等の内部空間も整理整頓することができる。さらには出かける際の荷物の準備を行う際には、予め収容物４０が収容された第１および第２のサブバッグ２０，２１をタンスや抽斗から取り出してメインバッグ１０に収容するだけでよく、荷物の取りまとめを迅速に行うことができる点において好都合である。
【００２８】
以上に、本考案にかかるバッグ５０について実施形態に基づいて詳細に説明をしたが、本考案にかかるバッグ５０は以上に説明した形態に限定されるものではない。たとえば、本実施形態においては、メインバッグ１０の底面部１２を平面視長方形状に形成した形態例に基づいて説明したが、メインバッグ１０の底面部１２の平面視形状は、他の形状に形成されていてもよい。
【００２９】
また、本実施形態においては、フレキシブルな布帛材料として帆布を用いているが、フレキシブルな布帛材料は帆布に限定されるものではなく、他の素材を用いることも可能である。
また、本実施形態においてはメインバッグ１０の側壁面部１４，１６のうち短手方向の側壁面部１６に屈曲部１６Ａを配設したが長手方向の側壁面部１４に屈曲部を設けるようにすることも可能である。
【００３０】
さらに、本実施形態においては、取手部１８として２本の長尺体を一対の側壁面部１４のそれぞれに取り付けしているが、取手部１８はこの形態に限定されるものではない。長尺体により扁平環状を形成し、扁平環状体の両端部が一対の側壁面部１４の上端縁部からそれぞれはみ出すようにして一対の側壁面部１４とその間の底面部１２に掛け渡し、重複部分を縫製や接着等により一体化することにより補強部を兼ねた取手部１８に形成してもよい。図３中における一点鎖線は、扁平環状に形成した長尺体により取手部１８を形成した際の状態を示すものであり、取手部１８を構成する長尺体が、底面部１２を横切る配置で取り付けされていることを示している。このようにすることで、メインバッグ１０の底抜けや底面部１２の大きな変形を防止することができる。
【００３１】
さらにまた、防水性を有する材料からなるサブバッグ２１の具体例として、本実施形態においては巾着袋状に形成した第２のサブバッグ２１について例示しているが、第２のサブバッグ２１は巾着袋状に限定されるものではない。第２のサブバッグ２１としては、防水性を有する材料により形成されていて、収容部の開口部分に対して開閉可能な蓋部を有していればよく、本実施形態にて例示した形態の他に、有底筒状体からなる本体部と本体部の開口部にファスナーにより蓋部を開閉可能に取り付けした形態や、有底筒状体からなる本体部と本体部の開口部に面ファスナー等の止着具を用いて本体部に着脱自在にした蓋部を備えた形態を採用することもできる。
【符号の説明】
【００３２】
１０：メインバッグ  １２：底面部  １４，１６：側壁面部  １６Ａ：屈曲部  １８：取手部
２０：第１のサブバッグ  ２０Ａ：底面  ２０Ｂ：外周壁  ２０Ｃ：屈曲部  ２１：第２のサブバッグ
３０：蓋部  ３２：紐状体
４０：収容物
５０：バッグ
Ａ：芯体  Ｂ：カバー体
【図１】
0003184461.tif 000003
【図２】
0003184461.tif 000004
【図３】
0003184461.tif 000005
【図４】
0003184461.tif 000006
【図５】
0003184461.tif 000007
【図６】
0003184461.tif 000008